(57)【要約】【課題】  本発明は、Ｎｉ個の入力を特色として備える通信チャネル上におけるＮｔ個の送信アンテナによるデータ送信方法に関する。【解決手段】  本発明による方法は、ビットインターリーブステップを含む。このビットインターリーブステップは、ビット多重分離ＤＭＸＳと、シーケンスインターリーブＳＲＩＳと、シーケンス記憶／セグメント化と、セグメント並べ替えＳＰＳと、すべての送信アンテナについて同じビットランクに割り当てられたＮｔ個のチャネルを通じて送信されることを目的としたＮｔ個の並べ替えられたビットシーケンスＰｓｑｊのグループＧ１、Ｇ２を形成するためのシーケンス割り当てＡＬＳとを含む。本発明は、異なるチャネル入力にわたる、符号化されたデータビットの基本的に均一な分散を確保し、したがって、データダイバーシティに好都合である。【選択図】  図３
2006174465.tif 000002
【特許請求の範囲】
【請求項１】
複数のＮｔ個の送信アンテナが設けられた少なくとも１つの送信機と少なくとも１つの受信アンテナが設けられた少なくとも１つの受信機とを含む電気通信システムにおけるデータ送信方法であって、該データ送信方法は、符号化されたデータビットを生成するためのビット符号化ステップと、前記符号化されたデータビットを並べ替えるためのビットインターリーブステップと、前記並べ替えられたビットを表すシンボルを生成するための変調ステップと、を含み、各シンボルは、前記送信アンテナと前記受信アンテナとの間で確立された通信チャネル上で送信されることを目的とした所定の個数のビットによって表され、前記チャネルは、所定のＮｉ個のチャネル入力を特色として備え、
前記ビットインターリーブステップは、
符号化されたデータビットのフレームを、前記所定のＮｉ個のチャネル入力と等しい複数のビットシーケンスにディスパッチするためのビット多重分離ステップと、
該多重分離ステップによって生成された各ビットシーケンスのビットを並べ替えるためのシーケンスインターリーブステップと、
該シーケンスインターリーブステップによって連続的に生成されたＮｔ個のインターリーブされたビットシーケンスのグループを形成するためのシーケンス割り当てステップであって、同じグループのすべてのシーケンスは、すべての送信アンテナの同じビットランクに割り当てられたＮｔ個のチャネルを通じて送信されることを目的とした、シーケンス割り当てステップと、
を含むことを特徴とする、データ送信方法。
【請求項２】
前記シーケンスインターリーブステップは、
・多重分離ステップによって生成された各シーケンスに含まれるすべてのビットをランダムに並べ替えるためのランダムビット並べ替えステップと、
・該ランダムビット並べ替えステップによって生成された、すべての並べ替えられたシーケンスを記憶し、且つ、該シーケンスを、所定のＮｉ個のチャネル入力に等しいビット数をそれぞれ含むセグメントに分割するためのシーケンス記憶／セグメント化ステップと、
・Ｎｉ個のセグメントの任意のグループに含まれる２つの各セグメント内で同一の位置を有する２つのビットが、最後には、対応する並べ替えられた各セグメントの区別されたビット位置を有するように、シーケンス記憶／セグメント化ステップによって生成された、並べ替えられた異なるシーケンスのセグメントに並べ替えを同時に適用するためのセグメント並べ替えステップと、
・並べ替えられた同じ初期シーケンスに関連したすべてのシフトされたセグメントを、インターリーブされたシーケンスに再組み立てするための連結ステップと、
を含む、ことを特徴とする、請求項１に記載のデータ送信方法。
【請求項３】
前記セグメント並べ替えステップは、前記シーケンス記憶／セグメント化ステップによって生成された、異なる並べ替えられたシーケンスのセグメントに循環シフトを同時に適用し、シフトされた各セグメントが、その隣接したセグメントに対して１ビットだけシフトされたものになるようにすることにより実行される、ことを特徴とする、請求項２に記載のデータ送信方法。
【請求項４】
前記インターリーブステップによって生成された所与の並べ替えられたシーケンスの前記セグメントの１つは、前記セグメント並べ替えステップの間変更されずに維持され、それ以外の各ｊ番目の並べ替えられたシーケンスの対応するセグメントは、次に、ｊビットだけ同時にシフトされる、ことを特徴とする、請求項３に記載のデータ送信方法。
【請求項５】
前記通信チャネルは、Ｎｃ個の連続した組の物理的特性を特色として備えることが予定され、前記符号化ステップによって生成された、前記符号化されたデータビットは、ビット多重分離ステップの過程でそれぞれＮｉ個のシーケンスのＮｃ個のブロックにディスパッチされるスーパーフレームを形成する、請求項１ないし４のいずれか１項に記載のデータ送信方法。
【請求項６】
前記スーパーフレームのあらゆる２つの連続したビットが２つの異なる送信アンテナに割り当てられる、請求項５に記載のデータ送信方法。
【請求項７】
スーパーフレームのあらゆる２つの連続したビットが２つの異なるシーケンスブロックに割り当てられる、請求項５に記載のデータ送信方法。
【請求項８】
前記所定のＮｉ個のチャネル入力は、シンボルを表すビット数Ｍと送信アンテナの個数Ｎｔとの積Ｍ・Ｎｔに等しくなるように選ばれる、請求項１ないし７のいずれか１項に記載のデータ送信方法。
【請求項９】
前記変調ステップの後には時空符号化ステップが続き、該時空符号化ステップの過程において、Ｋの連続したシンボルのビットは、Ｎｔ個の送信アンテナによる送信の前に互いに結合され、前記所定のＮｉ個のチャネル入力は、Ｍ・Ｋ個に等しくなるように選ばれ、ここで、Ｍは任意の所与のシンボルを表すビット数である、請求項１ないし７のいずれか１項に記載のデータ送信方法。
【請求項１０】
前記ビット多重分離ステップは、Ｎｉ−１個のそれ以外の符号化されたビットによって分離された２つの符号化されたビットを異なるビットシーケンスに配置することによって実行される、請求項１ないし９のいずれか１項に記載のデータ送信方法。
【請求項１１】
前記ビット多重分離ステップは、ランクｊの符号化されたビットを、Ｎｉを法とするランクｊ＋ＩＰ（（ｊ−１）／Ｎｉ）のビットシーケンスに配置することによって実行され、ここで、ＩＰ（（ｊ−１）／Ｎｉ）は、比（ｊ−１）／Ｎｉの整数部を表す、請求項１０に記載のデータ送信方法。
【請求項１２】
複数のＮｔ個の送信アンテナが設けられた少なくとも１つの送信機と少なくとも１つの受信アンテナが設けられた少なくとも１つの受信機とを含む電気通信システムであって、前記送信機は、符号化されたデータビットを生成するためのビット符号化手段と、前記符号化されたデータビットを並べ替えるためのビットインターリーブ手段と、前記並べ替えられたビットを表すシンボルを生成するための変調手段と、を含み、各シンボルは、前記送信アンテナと前記受信アンテナとの間で確立された通信チャネル上で送信されることを目的とした所定の個数のビットによって表され、前記チャネルは、所定のＮｉ個のチャネル入力を特色として備え、
前記ビットインターリーブ手段は、
符号化されたデータビットのフレームを、前記所定のＮｉ個のチャネル入力と等しい複数のビットシーケンスにディスパッチするためのビット多重分離手段と、
該多重分離手段によって生成された各ビットシーケンスのビットを並べ替えるためのシーケンスインターリーブ手段と、
該シーケンスインターリーブ手段によって連続的に生成されたＮｔ個のインターリーブされたビットシーケンスのグループを形成するためのシーケンス割り当て手段であって、同じグループのすべてのシーケンスは、すべての送信アンテナの同じビットランクに割り当てられたＮｔ個のチャネルを通じて送信されることを目的とした、シーケンス割り当て手段と、
を含むことを特徴とする、電気通信システム。
【請求項１３】
前記シーケンスインターリーブ手段は、
・前記多重分離ステップによって生成された各シーケンスに含まれるすべてのビットをランダムに並べ替えるためのランダムビット並べ替え手段と、
・該ランダムビット並べ替え手段によって生成された、すべての並べ替えられたシーケンスを記憶し、且つ、該シーケンスを、所定のＮｉ個のチャネル入力に等しいビット数をそれぞれ含むセグメントに分割するためのシーケンス記憶／セグメント化手段と、
・Ｎｉ個のセグメントの任意のグループに含まれる２つの各セグメント内で同一の位置を有する２つのビットが、最後には、対応する並べ替えられた各セグメントの区別されたビット位置を有するように、シーケンス記憶／セグメント化手段によって生成された、並べ替えられた異なるシーケンスのセグメントを同時に並べ替えるためのセグメント並べ替え手段と、
・並べ替えられた同じ初期シーケンスに関連したすべてのシフトされたセグメントを、インターリーブされたシーケンスに再組み立てするための連結手段と、
を含む、ことを特徴とする、請求項１２に記載の電気通信システム。
【請求項１４】
複数のＮｔ個の送信アンテナが設けられた通信装置であって、前記送信機は、符号化されたデータビットを生成するためのビット符号化手段と、該符号化されたデータビットを並べ替えるためのビットインターリーブ手段と、該並べ替えられたビットを表すシンボルを生成するための変調手段と、を含み、各シンボルは、前記送信アンテナと受信アンテナとの間で確立された通信チャネル上で送信されることを目的とした所定の個数のビットによって表され、前記チャネルは、所定のＮｉ個のチャネル入力を特色として備え、
前記ビットインターリーブ手段は、
Ｎｉを法とする各ｊ番目の符号化されたビットを、対応するＮｊ番目のビットシーケンスに配置することによって、符号化されたデータビットのフレームを、前記所定のＮｉ個のチャネル入力と等しい複数のビットシーケンスにディスパッチするためのビット多重分離手段と、
該多重分離手段によって生成された各ビットシーケンスのビットを並べ替えるためのシーケンスインターリーブ手段と、
該シーケンスインターリーブ手段によって連続的に生成されたＮｔ個のインターリーブされたビットシーケンスのグループを形成するためのシーケンス割り当て手段であって、同じグループのすべてのシーケンスは、すべての送信アンテナの同じビットランクに割り当てられたＮｔ個のチャネルを通じて送信されることを目的とした、シーケンス割り当て手段と、
を含むことを特徴とする、通信装置。
【発明の詳細な説明】
【技術分野】
【０００１】
本発明は、複数の送信アンテナが設けられた少なくとも１つの送信機と少なくとも１つの受信アンテナが設けられた少なくとも１つの受信機とを含む電気通信システムにおけるデータ送信方法に関する。この方法は、符号化されたデータビットを生成するためのビット符号化ステップと、上記符号化されたデータビットを並べ替えるためのビットインターリーブステップと、並べ替えられたビットを表すシンボルを生成するための変調ステップとを含む。各シンボルは、送信アンテナと受信アンテナとの間に確立された通信チャネル上を送信されることを目的とした所定の個数のビットによって表される。
【背景技術】
【０００２】
複数のアンテナが無線リンクの受信機及び／又は送信機で使用される電気通信システムは、多入力多出力システム（以下、ＭＩＭＯシステムと称す）と呼ばれる。ＭＩＭＯシステムは、単一アンテナシステムが提供する伝送容量と比較して、大きな伝送容量を提供するものとして紹介されてきた。特に、ＭＩＭＯの容量は、所与の信号対雑音比に対して、有利な無相関のチャネル状態の下では、送信アンテナ又は受信アンテナのいずれが最小であっても、その最小の個数と共に直線的に増加する。従って、ＭＩＭＯ技法は、大きなスペクトル効率を提供することを目的とするか、或いは、現在の電気通信システムで得られるスペクトル効率と同等のスペクトル効率を得るのに必要な送信電力を削減することを目的とする今後の無線システムで使用される可能性がある。このようなＭＩＭＯ技法は、ほとんどの場合、今後の無線システムで同様にその使用が考慮されているＯＦＤＭ（直交波周波数分割多重の略語）技法及びＭＣ−ＣＤＭＡ（マルチキャリア符号分割多重接続の略語）技法のようなマルチキャリア変調技法と組み合わされることになる。
【０００３】
特定のタイプのＭＩＭＯシステムは、ＢＩＣＭとも呼ばれるビットインターリーブ化符号化変調（Bit Interleaved Coded Modulation）技法を利用する。この技法によれば、送信機は、たとえば畳み込み符号又はターボ符号による符号化を、符号化されていないデータビットに適用することを目的とし、且つ、符号化されたビットストリームをインターリーバに提供することを目的としたチャネル符号化器を含む。このインターリーバは、次に、並べ替えられたビットを配信する。この並べ替えられたビットは、複数のビットによってそれぞれ表された一連の符号化されたシンボルに変換されることを目的としたワードシーケンスに分割されることになる。同じシンボルを表すビットは、シンボル期間と呼ばれる同じ時間区間中に各送信アンテナによって送信されることを目的としている。
【０００４】
送信されたシンボルは受信機で復号される。この復号は通常、ＢＩＣＭタイプのＭＩＭＯシステムにおいて反復時空復号器（iterative space-time decoder）により実行される。この復号器は、送信されたシンボルを構成する符号化ビットの推定値を生成することを目的としている。複数の送信アンテナ及び受信アンテナの使用によって誘発される空間ダイバーシティは、単一の通信チャネルを通じて送信された単一の信号により提供される情報量よりも多くの情報量を提供するので、このダイバーシティによって、このような復号が容易になる。
【発明の開示】
【発明が解決しようとする課題】
【０００５】
発明者は、時空復号器に提供される入力データのダイバーシティを増加させることによって、上記復号器が、上記データを生成する基と成った符号化ビットのより信頼性のある推定値に向けて収束できることを確認している。このことは、より高い品質、すなわち、よりリッチな内容を有するデータを復号器に供給することによって、より良い復号性能を得ると解釈することができる。
【０００６】
ＭＩＭＯシステムの受信機端で感知できる最も高いダイバーシティは、一方で、システムの空間に関連した特性によって、すなわち受信アンテナの個数によって、他方で、システムの時間に関連した特性によって、すなわち所与の符号語又は最小符号距離の送信中に発生する異なる通信チャネル状態の個数によって決まる。最小符号距離は、そのしきい値より下では２つの符号語が同一であるという、当該２つの符号語間のビットの相違のしきい値数によって定義される。
【０００７】
したがって、得ることができる最大のダイバーシティは、受信アンテナの個数と上述した時間に関連したパラメータの最小の値との積の形で表すことができる。
【０００８】
現在のインターリーブ技法は、ＭＩＭＯシステムによって理論的に提供されるダイバーシティをその極限まで使用することができない。その理由は、既知のインターリーバによって配信され、同じシンボル期間中に送信されることを目的とした、連続したビットシーケンスが、通例、元の符号化されたビットストリーム内において互いに隣接したビットを含み、これが、受信機に送信されたデータの時間に関連したダイバーシティを減少させ、次に、この受信機に含まれる時空復号器の性能を制限するからである。
【課題を解決するための手段】
【０００９】
本発明は、ＭＩＭＯシステムにおけるデータ送信方法を提供することによって、上記問題を解決することを目的とする。このデータ送信方法は、空間及び時間の双方に関して、このようなシステムによって理論的に提供される、このシステムの受信機端で復号されることを目的としたデータの、ダイバーシティをその極限まで使用することを可能にするインターリーブ方式を含む。
【００１０】
さらに言えば、冒頭のパラグラフによる方法は、本発明によれば、通信チャネルが、所定のＮｉ個のチャネル入力を特色として備え、ビットインターリーブステップは、
・符号化されたデータビットのフレームを、所定のＮｉ個のチャネル入力に等しい複数のビットシーケンスにディスパッチするためのビット多重分離ステップと、
・多重分離ステップによって生成された各ビットシーケンスのビットを並べ替えるためのシーケンスインターリーブステップと、
・シーケンスインターリーブステップによって連続的に生成されたＮｔ個のインターリーブされたビットシーケンスのグループを形成するためのシーケンス割り当てステップであって、同じグループのすべてのシーケンスは、すべての送信アンテナの同じビットランクに割り当てられたＮｔ個のチャネルを通じて送信されることを目的とした、シーケンス割り当てステップと、
を含むことを特徴とする。
【００１１】
本発明によって、送信アンテナと受信アンテナとの間に確立された複数の通信チャネルの使用により得られた空間ダイバーシティを構成することが可能になる。この空間ダイバーシティは、上記チャネルを通じて送信されたデータの時間に関して高いダイバーシティを有する。
【００１２】
本発明は、多重分離ステップによって、異なるチャネル入力にわたる符号化されたデータビットの基本的に均一な分散を確保する。この基本的に均一な分散は、連続したビットが、異なるチャネルの実現したもの（realization）にわたって送信されることを確保し、したがって、本発明による方法が使用される電気通信システムの受信機端で感知されるデータダイバーシティに好都合である。
【００１３】
シーケンスインターリーブステップは、好ましくは、多重分離された同じシーケンスに属するＬｉ個の連続したビットが、最後には、シーケンスインターリーブステップの実行後に、上記シーケンスのＬｉ個の異なる、等サイズの細分区画に含まれることになるように実行される。
【００１４】
本発明のこのような好ましい実施の形態によって、連続した符号化されていないビットの最適な無相関性が可能になる。これらの連続した符号化されていないビットは、そうでない場合において、ビット符号化技法が畳み込み符号を利用したときは、互いにリンクした状態のままであるおそれがある。このビット符号化技法によれば、符号化されていない同じ情報ビットは、Ｌ・ｎ個の連続した、符号化されたビットの生成に関与する。ここで、ｎは、所与のｋ個の連続した符号化されていないビットが上記符号化器に供給された時に、畳み込みチャネル符号化器によって配信される符号化されたビットの個数である。Ｌは、符号制限長（code constraint length）である。発明者は、本発明のこのような変形を使用することによって、すべてのチャネル入力において基本的に均一な分散を可能にすることができること、及び、所与の個数の連続した、符号化されたビットの異なるシンボル期間へのマッピングを可能にすることができることに気付いた。この所与の個数は、Ｌｉ及びＮｉの関数であり、Ｌｉが適切に選ばれるという条件で、Ｌ・ｎ以上となる。さらに、本発明のこの変形は、複数の同一で、且つ、容易に構築されるインターリーブモジュールによって比較的低コストで実施することができる。
【００１５】
本発明の第１の変形によれば、ビットシーケンスインターリーブステップは、
・多重分離ステップによって生成された各シーケンスに含まれるすべてのビットをランダムに並べ替えるためのランダムビット並べ替えステップと、
・ランダムビット並べ替えステップによって生成された、すべての並べ替えられたシーケンスを記憶し、且つ、上記シーケンスを、所定のＮｉ個のチャネル入力に等しいビット数をそれぞれ含むセグメントに分割するためのシーケンス記憶／セグメント化ステップと、
・Ｎｉ個のセグメントの任意のグループに含まれる２つの各セグメント内で同一の位置を有する２つのビットが、最後には、対応する並べ替えられた各セグメントの区別されたビット位置を有するように、シーケンス記憶／セグメント化ステップによって生成された、並べ替えられた異なるシーケンスのセグメントに並べ替えを同時に適用するためのセグメント並べ替えステップと、
・並べ替えられた同じ初期シーケンスに関連したすべてのシフトされたセグメントを、インターリーブされたシーケンスに再組み立てするための連結ステップと、
を含む。
【００１６】
本発明のこの第１の変形で実行されるセグメント並べ替えステップによって、符号化されたビットを、変調されたシンボルに入れ換えるのに使用されるマッピング配置（mapping constellation）の１ビットとは異種の、エラーに対する脆弱性を補償することが可能になる。確かに、上記配置を図的に表した場合において、その配置の初期点によって表され、且つ、通信チャネル上を送信される１組のビットをラベル用に有する、初期シンボルが選ばれるとき、この配置は、上記ビットの第１のもの又は第２のものの値を変更することが、初期点に対して異なる第１の距離及び第２の距離に位置する各第１の点又は第２の点になるのが分かる。セグメント並べ替えステップは、ビットの重みを変更することによって、送信される異なるビットを再分散する傾向があり、したがって、さまざまなビットが特色として備えるエラーに対する脆弱性を均質化する傾向がある。
【００１７】
本発明の有利な実施の形態において、セグメント並べ替えステップは、シーケンス記憶／セグメント化ステップによって生成された、異なる並べ替えられたシーケンスのセグメントに並べ替えを同時に適用し、シフトされた各セグメントが、その隣接したセグメントに対して１ビットだけシフトされたものになるようにすることにより実行される。
【００１８】
この実施の形態によって、シフトレジスタ等の単純なコンポーネントによりセグメント並べ替えステップを実施することが可能になる。
【００１９】
本発明のこの第１の変形の好ましい実施の形態において、インターリーブステップによって生成された所与の並べ替えられたシーケンスのセグメントの１つは、セグメント並べ替えステップの間変更されずに維持され、それ以外の各ｊ番目の並べ替えられたシーケンスの対応するセグメントは、次に、ｊビットだけ同時にシフトされる。
【００２０】
この実施の形態は、限られた回数のシーケンスシフトを必要とするが、ダイバーシティに関して上述した利点を生み出し、したがって、その効率性は顕著である。
【００２１】
変調ステップが実行されるとすぐに、ビットインターリーブステップによって生成された、並べ替えられたシーケンスが直接送信される場合、所定のＮｉ個のチャネル入力は、シンボルを表すビット数Ｍと送信アンテナの個数Ｎｔとの積Ｍ・Ｎｔに等しくなるように選ばれる。
【００２２】
別法では、変調ステップの後には時空符号化ステップが続き、時空符号化ステップの過程において、Ｋの連続したシンボルのビットは、Ｎｔ個の送信アンテナによる送信の前に互いに結合され、所定のＮｉ個のチャネル入力は、Ｍ・Ｋ個に等しくなるように選ばれ、ここで、Ｍは任意の所与のシンボルを表すビット数である。
【００２３】
上述した第１の変形に代替的に又は累積的に用いることができる本発明の第２の変形によれば、通信チャネルが、Ｎｃ個の連続した組の物理的特性を特色として備えることが予定されると、符号化ステップによって生成された、符号化されたデータビットは、ビット多重分離ステップの過程でそれぞれＮｉ個のシーケンスのＮｃ個のブロックにディスパッチされるスーパーフレームを形成する。
【００２４】
連続したシンボル期間にわたって異なる数組の通信状況を連続的に特色として備えることが予想される通信チャネルは、ブロックフェージングチャネルと呼ばれる。このようなブロックフェージングチャネルは、各１組の通信状況の期間中は基本的に不変であり、発明者は、異なるブロックに対応するタイムスロットの間に送信されるビットが、理論的には互いに干渉する機会を有しないことに気付いた。これによって、スーパーフレームをシーケンスブロックにすぐにディスパッチすることが可能になる。同じブロックに属するシーケンスに含まれるビットは、ブロックフェージングチャネルの同じ不変期間中、互いに干渉する可能性があるので、各ブロックのシーケンスは、その後、より慎重に処理される。このように、スーパーフレームのこの単純なディスパッチの後に、より制限的なブロックごとの処理を行うことによって、処理資源の最適な割り当てが可能になる。
【００２５】
スーパーフレームのディスパッチは、スーパーフレームのあらゆる２つの連続したビットを２つの異なる送信アンテナに単に割り当てることによって実行することができるが、スーパーフレームのあらゆる２つの連続したビットを２つの異なるシーケンスブロックに割り当てることによっても実行することができる。双方の解決法は、スーパーフレームに含まれるビットが、すべてのチャネルの実現したものにわたって一様に分散されることを確保する。
【００２６】
本発明の第３の変形によれば、ビット多重分離ステップは、Ｎｉを法とする、初期フレームの各ｊ番目の符号化されたビットを対応するビットシーケンスに単に配置することによっては実行されないが、その代わり、Ｎｉ−１個のそれ以外の符号化されたビットによって分割された２つの符号化されたビットを異なるビットシーケンスに配置することによって実行される。
【００２７】
ビット多重分離ステップのこのような変形によって、符号化されたビットを本来符号化するのに使用される符号の構造が必要としない方式に従い、連続的な符号化されたビットを、異なる多重分離されたシーケンスにわたって配置することが可能となる。より詳細には、特定のビットが、符号化エラーによる影響を受ける高い可能性を有し、上記特定のビットが、その符号の構造によって必要とされる発生周期を有する場合、上記周期的なビットは、同じチャネル入力を通じて常に送信されるとは限らず、ビット多重分離ステップの上述した好ましい実施の形態は、その代わり、この周期的なビットの異なる発生が、異なるチャネル入力を通じて送信されることを確保する。
【００２８】
この第３の変形の好ましい実施の形態によれば、ビット多重分離ステップは、ランクｊの符号化されたビットを、Ｎｉを法とするランクｊ＋ＩＰ（（ｊ−１）／Ｎｉ）のビットシーケンスに配置することによって実行され、ここで、ＩＰ（（ｊ−１）／Ｎｉ）は、比（ｊ−１）／Ｎｉの整数部を表す。
【００２９】
そのハードウェアに関連する態様の１つによれば、本発明はまた、複数のＮｔ個の送信アンテナが設けられた少なくとも１つの送信機と少なくとも１つの受信アンテナが設けられた少なくとも１つの受信機とを含む電気通信システムに関し、送信機は、符号化されたデータビットを生成するためのビット符号化手段と、上記符号化されたデータビットを並べ替えるためのビットインターリーブ手段と、並べ替えられたビットを表すシンボルを生成するための変調手段と、を含み、各シンボルは、送信アンテナと受信アンテナとの間で確立された通信チャネル上で送信されることを目的とした所定の個数のビットによって表され、チャネルは、所定のＮｉ個のチャネル入力を特色として備え、
ビットインターリーブ手段は、
符号化されたデータビットのフレームを、所定のＮｉ個のチャネル入力と等しい複数のビットシーケンスにディスパッチするためのビット多重分離手段と、
多重分離手段によって生成された各ビットシーケンスのビットを並べ替えるためのシーケンスインターリーブ手段と、
シーケンスインターリーブ手段によって連続的に生成されたＮｔ個のインターリーブされたビットシーケンスのグループを形成するためのシーケンス割り当て手段であって、同じグループのすべてのシーケンスは、すべての送信アンテナの同じビットランクに割り当てられたＮｔ個のチャネルを通じて送信されることを目的とした、シーケンス割り当て手段と、
を含むことを特徴とする。
【００３０】
このような電気通信システムの第１の変形によれば、この変形によって、符号化されたビットを本来符号化するのに使用される符号の構造が必要としない方式に従い、連続的な符号化されたビットを、異なるシンボル期間にわたって配置することが可能となり、シーケンスインターリーブ手段は、
・多重分離ステップによって生成された各シーケンスに含まれるすべてのビットをランダムに並べ替えるためのランダムビット並べ替え手段と、
・ランダムビット並べ替え手段によって生成された、すべての並べ替えられたシーケンスを記憶し、且つ、上記シーケンスを、所定のＮｉ個のチャネル入力に等しいビット数をそれぞれ含むセグメントに分割するためのシーケンス記憶／セグメント化手段と、
・Ｎｉ個のセグメントの任意のグループに含まれる２つの各セグメント内で同一の位置を有する２つのビットが、最後には、対応する並べ替えられた各セグメントの区別されたビット位置を有するように、シーケンス記憶／セグメント化手段によって生成された、並べ替えられた異なるシーケンスのセグメントを同時に並べ替えるためのセグメント並べ替え手段と、
・並べ替えられた同じ初期シーケンスに関連したすべてのシフトされたセグメントを、インターリーブされたシーケンスに再組み立てするための連結手段と、
を含む。
【００３１】
そのハードウェアに関連する態様の別のものによれば、本発明はまた、複数のＮｔ個の送信アンテナが設けられた通信装置に関し、送信機は、符号化されたデータビットを生成するためのビット符号化手段と、上記符号化されたデータビットを並べ替えるためのビットインターリーブ手段と、並べ替えられたビットを表すシンボルを生成するための変調手段と、を含み、各シンボルは、送信アンテナと受信アンテナとの間で確立された通信チャネル上で送信されることを目的とした所定の個数のビットによって表され、チャネルは、所定のＮｉ個のチャネル入力を特色として備え、
ビットインターリーブ手段は、
符号化されたデータビットのフレームを、所定のＮｉ個のチャネル入力と等しい複数のビットシーケンスにディスパッチするためのビット多重分離手段と、
多重分離手段によって生成された各ビットシーケンスのビットを並べ替えるためのシーケンスインターリーブ手段と、
シーケンスインターリーブ手段によって連続的に生成されたＮｔ個のインターリーブされたビットシーケンスのグループを形成するためのシーケンス割り当て手段であって、同じグループのすべてのシーケンスは、すべての送信アンテナの同じビットランクに割り当てられたＮｔ個のチャネルを通じて送信されることを目的とした、シーケンス割り当て手段と、
を含むことを特徴とする。
【００３２】
上述した本発明の特徴及びそれ以外の特徴は、添付図面に関して与えられた以下の説明を読むことによって、より明確に明らかになる。
【発明を実施するための最良の形態】
【００３３】
図１は、少なくとも１つの送信機ＴＲ及び少なくとも１つの受信機ＲＥＣを含む電気通信システムを図示している。これらの送信機ＴＲ及び受信機ＲＥＣは、所定の整数Ｎｔ個の送信アンテナ（ｔａ１、ｔａ２…ｔａＮｔ）と所定の整数Ｎｒ個の受信アンテナ（ｒａ１、ｒａ２…ｒａＮｒ）との間に確立された複数の通信チャネルＣＨＮＬを通じて信号を交換することを目的としている。
【００３４】
図１に図示した例に示す送信機ＴＲは、符号化されていないデータビットＵｎｃｂにたとえば畳み込み符号又はターボ符号による符号化を適用すること、及び、送信される符号化されたデータビットＴｂのバイナリストリームを提供することを目的としたチャネル符号化器ＣＨＥＮＣを含む。送信機ＴＲは、並べ替えられたビットＰｂを生成することを目的としたインターリーブ手段ＩＮＴＬを含む。このようなインターリーブは、無相関のデータを取得することを可能にするので、受信機側での後の処理に役立つ。並べ替えられたビットＰｂは、それぞれがＭ・Ｎｔビットのシーケンスに分割されることになる。これらのビットシーケンスは、次に、マッピング／変調モジュールＭＡＰＭＤによって一連の符号化されたシンボルＺｋにマッピング、すなわち変換される。したがって、各シンボルＺｋは、Ｍ個の連続したビットによって表される。連続したシンボルＺｋは、次に、図示しない送信ＲＦモジュールを介してＮｔ個の送信アンテナ（ｔａ１、ｔａ２…ｔａＮｔ）に供給することができる。この場合、通信チャネルＣＨＮＬは、Ｎｉ＝Ｍ・Ｎｔ個の入力を特色として備える。或いは、符号化されたシンボルＺｋは、オプションの時空符号化器ＳＰＴＥＮＣに供給することもできる。このオプションの時空符号化器ＳＰＴＥＮＣは、図１では破線で示され、符号化されたシンボルＺｋの付加的処理をその送信前に実行するためのものである。オプションの時空符号化器ＳＰＴＥＮＣは、たとえば、Ｋ個の連続したＭビットシンボルＺｋ（ｋ＝１〜Ｋ）がＮｔ個の送信アンテナ（ｔａ１、ｔａ２…ｔａＮｔ）による送信前に互いに結合される過程で時空符号化ステップを実行することができる。この場合、通信チャネルＣＨＮＬは、Ｎｉ＝Ｍ・Ｋ個の入力を特色として備える。Ｋ個の連続したＭビットシンボルＺｋの適切な結合は、たとえば、上記連続したシンボルＺｋを表すベクトルを時空符号化行列に乗算することによって得られる線形結合にあるとすることができる。
【００３５】
図１に図示した例に示す受信機ＲＥＣは、元の符号化されていないデータビットＵｎｃｂに最終的に対応すべき復号されたデータビットＤｅｃｂを生成するための時空復号器ＳＰＴＤＥＣを含む。この時空復号器ＳＰＴＤＥＣは時空検出器（space-time detector）ＤＥＴを含む。この時空検出器ＤＥＴは、受信アンテナ（ｒａ１、ｒａ２、…、ｒａＮｒ）によって受信された信号により搬送されたデータを処理し、送信されて並べ替えられたビットＰｂの推定値に関係した尤度値Ｒｉｂを生成するためのものである。この尤度値は、デインターリーバＤＩＮＴＬによってデインターリーブされるものである。デインターリーバＤＩＮＴＬは、符号化されたデータビットＴｂのバイナリストリームに含まれるビットの推定値に関係した軟尤度値（soft likelihood value）Ｒｂを出力する。受信機ＲＥＣに含まれるビット復号器は、上記尤度値Ｒｂに基づいて復号されたデータビットＤｅｃｂを生成するためのものである。このビット復号器は、以下、チャネル復号器ＣＨＤＥＣと呼ぶ。
【００３６】
当該技術分野で一般に使用されるループ構造によると、時空検出器ＤＥＴは、アプリオリな情報Ｐｒａを利用する。このアプリオリな情報は、前の復号ステップの最中に生成され、インターリーブ手段ＩＮＴＲを通じてチャネル復号器ＣＨＤＥＣにより外部情報Ｅｘｄの形で発行されたものである。このインターリーブ手段は、送信機ＴＲに含まれるインターリーブ手段ＩＮＴＬと同一である。
【００３７】
発明者は、送信アンテナ（ｔａ１、ｔａ２…ｔａＮｔ）と受信アンテナ（ｒａ１、ｒａ２…ｒａＮｒ）との間に確立された複数の通信チャネルＣＨＮＬを通じて送信されるデータのダイバーシティを増加させることによって、時空復号器ＳＰＴＤＥＣが、上記データが生成された、符号化されたビットに基づいて、当該符号化されたビットのより信頼性のある推定値に向かって収束することが可能になることに気付いた。したがって、発明者は、送信アンテナ（ｔａ１、ｔａ２…ｔａＮｔ）によって送信されるデータの時間に関連したダイバーシティを最大にすることを目的としてきた。
【００３８】
図２は、このような増加したダイバーシティを得ることができるビットインターリーブ手段ＩＮＴＬを示している。本発明のこの特定の実施の形態では、ビットインターリーブ手段ＩＮＴＬは、以下のものを含む。
・符号化されたデータビットＴｂから複数のＮｉ個のビットシーケンスＢｓｑ１…ＢｓｑＮｉを抽出するためのビット多重分離手段ＤＭＸ。各シーケンスＢｓｑｉ（ｉ＝１〜Ｎｉ）は、１つのチャネル入力、すなわち、上述したＮｔ個の送信アンテナの１つによって送信される１ビット、又は、後の時空符号化ステップの過程で互いに結合されるＫ個の連続したシンボルの１つを表すＭビットの１つに対応する。上記ビット多重分離手段ＤＭＸは、Ｎｉを法とする各ｊ番目の符号化されたビットを、対応するＮｊ番目のビットシーケンスに配置するように適合されている。
・多重分離手段ＤＭＸによって生成された各ビットシーケンスＢｓｑ１…ＢｓｑＮｉのビットを並べ替えるためのシーケンスインターリーブ手段ＳＲＩ１…ＳＲＩＮｉ、及び、
・シーケンスインターリーブ手段ＳＲＩ１…ＳＲＩＮｉによって連続的に生成されたＮｔ個のインターリーブされたビットシーケンスのグループを形成するためのシーケンス割り当て手段。同じグループのすべてのシーケンスは、すべての送信アンテナについて、同じビットランクに割り当てられたＮｔ個のチャネルを通じて送信されることを目的とする。
【００３９】
本発明のこの実施の形態では、ビットインターリーブ手段ＩＮＴＬは、さらに、以下のものも含む。
・シーケンスインターリーブ手段ＳＲＩ１…ＳＲＩＮｉによって生成された、すべての並べ替えられたシーケンスＩｓｑ１…ＩｓｑＮｉを記憶し、且つ、各シーケンスＩｓｑｊを連続したセグメントＰｓｇｊに分割するためのシーケンス記憶／セグメント化手段。この連続したセグメントＰｓｇｊは、本発明のこの実施の形態では、それぞれ、所定の長さのＮｉビットを有する。及び、
・シーケンス記憶／セグメント化手段ＢＵＦ１によって生成された、並べ替えられた異なるシーケンスＩｓｑ１…ＩｓｑＮｉのセグメントＰｓｇ１…ＰｓｇＮｉを同時に並べ替えるためのセグメント並べ替え手段。この並べ替えは、Ｎｉ個のセグメントの任意のグループに含まれる２つの各セグメント内で同一の位置を有する２つのビット、たとえば、次の図に示すようなＮｉ個のセグメントの第１のグループに含まれるシーケンスＩｓｑ１及びＩｓｑ２の最初の２つのセグメントのビット２５及び２６が、最後には、対応する並べ替えられた各セグメントの区別されたビット位置を有するように行われる。この並べ替えは、この例では、上記セグメントに循環シフトを適用し、その結果得られるシフトされた各セグメントＳｓｇｊ（ｊ＝１〜Ｎｉ）が、最後には、その隣接するセグメントＳｓｇｊ−１及びＳｓｇｊ＋１に対して１ビットだけシフトされた状態になるようにすることにより得られる。
【００４０】
シーケンスインターリーブ手段ＳＲＩ１…ＳＲＩＮｉは、好ましくは、図１に示すように並列に配列されたＮｉ個の同一のインターリーブモジュールによって構成される。
【００４１】
本発明のこの特定の実施の形態では、シーケンス記憶／セグメント化手段は、第１のバッファＢＵＦ１によって構成され、シーケンス並べ替え手段は、Ｎｉ個の循環シフト可能レジスタＳＲＧ１…ＳＲＧＮｉの並列アレイを含む。それぞれの循環シフト可能レジスタは、上記バッファＢＵＦ１によって同時に生成された、連続した一連のセグメントＰｓｇ１…ＰｓｇＮｉを記憶することを目的としている。これらのレジスタのうちの１つの内容、この例ではＳＲＧ１の内容は、変更されずに維持される一方、それ以外の各ｊ番目のレジスタＳＲＧｊ（ｊ＝２〜Ｎｉ）の内容は、（ｊ−１）ビットの循環シフトを受ける。
【００４２】
本発明のこの特定の実施の形態では、ビットインターリーブ手段ＩＮＴＬに含まれるシーケンス割り当て手段は、第２のバッファＢＵＦ２を含む。この第２のバッファＢＵＦ２は、連続した一連のシフトされたセグメントＳｓｇ１…ＳｓｇＮｉを受信して記憶するように適合され、且つ、同じ最初の並べ替えられたシーケンスＩｓｑｊ（ｊ＝１〜Ｎｉ）に関連した、すべてのシフトされたセグメントＳｓｇｊを、インターリーブされたシーケンスＰｓｑｊに再組み立てするように適合されている。ビットインターリーブ手段ＩＮＴＬは、さらに、多重化手段ＭＸも含む。この多重化手段ＭＸは、前の図で説明したマッピング／変調モジュールに供給されることを目的とした、並べ替えられたビットＰｂのストリームを形成するために、シーケンス割り当て手段ＢＵＦ２によって配信されたすべてのインターリーブされたシーケンスＰｓｑｊを受信することを目的とし、且つ、上記インターリーブされたシーケンスＰｓｑｊを多重化することを目的とする。
【００４３】
本発明の代替的な実施の形態では、セグメントＳｓｇ１…ＳｓｇＮｉは、複数の特定アンテナ向けマッピング／変調モジュールに関連した各アンテナによるそれらセグメントの送信前に、当該モジュールへ並列に送信することができる。
【００４４】
図３は、送信機がＮｔ＝２個の送信アンテナを含む、本発明の特定の実施の形態における、上述したビットインターリーブ手段の動作を示している。送信されるシンボルは、Ｍ＝２及びＮｉ＝４となるように、２つのビットｂ１及びｂ２にマッピングされる。
【００４５】
ビット多重分離ステップＤＭＸＳの期間中、複数のビットシーケンスが、１、２、３、４、５、６、７、８、９…Ｓｉで参照されるＳｉ個の連続した、符号化されたデータビットのフレームＴｂから抽出される。なお、図１では、複数のビットシーケンスではなく、ビットシーケンスＢｓｑ１のみを示している。ビットシーケンスＢｓｑ１を形成することを目的としたビットは、この図では白で示されている。チャネル入力の別の１つにそれぞれ対応するそれ以外の３つのシーケンスの一部を形成することを目的としたそれ以外のビットは、３つの異なるグレイの陰影で示されている。したがって、各ビットシーケンスＢｓｑｊ（ｊ＝１〜Ｎｉ＝４）は、ｊ、４＋ｊ、８＋ｊ、１２＋ｊ、１６＋ｊ…Ｓｉ＋ｊ−Ｎｉで参照されるＳｉ／Ｎｉ個のビットを含む。
【００４６】
次に、シーケンスインターリーブステップＳＲＩＳの期間中、多重分離ステップＤＭＸＳによって生成された各ビットシーケンスＢｓｑｊのＳｉ／Ｎｉ個のビットが並べ替えられる。なお、図１には、ビットシーケンスＢｓｑ１の並べ替えが、並べ替えられたビットシーケンスＩｓｑ１になることのみが示されている。
【００４７】
図１に図示した例では、シーケンスインターリーブステップＳＲＩＳは、Ｌｉ個の連続した、符号化されたビット１、５、９、１３、１７等が、シーケンスインターリーブステップＳＲＩＳの実行後、最後には、長さＮｉのＬｉ個の異なるセグメントに含まれるように実行される。
【００４８】
次に、シーケンス記憶／セグメント化ステップの期間中、シーケンスインターリーブステップＳＲＩＳによって生成された、並べ替えられた各シーケンスＩｓｑｊ（ｊ＝１〜４）は、バッファに記憶され、連続したセグメントに分割される。この連続したセグメントは、この例では、それぞれが、Ｎｉ＝４に等しい所定の長さを有する。
【００４９】
次に、セグメント並べ替えステップＳＰＳの期間中、ｊ−１ビットの循環シフトが、Ｎｉ個の異なるセグメントＰｓｇｊ（ｊ＝２〜Ｎｉ＝４）に同時並列に適用される。これらＮｉ個の異なるセグメントＰｓｊｇは、それぞれ、インターリーブステップＳＲＩＳによって生成された、並べ替えられたシーケンスＩｓｑｊの１つに属する。この循環シフトは、その結果生成された各シフトされたセグメントＳｓｇｊが、最後には、その隣接したセグメントＳｓｇｊ−１及びＳｓｇｊ＋１に対して１ビットだけシフトされるように行われる。本発明のこの実施の形態では、インターリーブステップＳＲＩＳによって生成された、並べ替えられたシーケンスＩｓｑ１に属する連続したセグメントＰｓｇ１のそれぞれは、各セグメント並べ替えステップＳＰＳの期間中、変更されずに維持される。
【００５０】
この図から分かるように、本発明によるこの方法で実行される多重分離ステップＤＭＸＳ及びシフトステップＳＲＧＳによって、連続した符号化されたビット、たとえば２５、２６、２７、及び２８で参照されるビットを異なるシンボル期間にわたって配置することが可能になる。すべてのシフトされたセグメントの記憶及び連結を目的としている上述した第２のバッファの内容を再配列することにより実行される割り当てステップＡＬＳにより、シーケンスインターリーブステップによって連続して生成されたＮｔ＝２個のインターリーブされたビットシーケンスをそれぞれ含むグループＧ１及びＧ２は、送信アンテナＡ１及びＡ２の双方について、それぞれｂ１及びｂ２の同じビットに確実に割り当てられる。
【００５１】
この割り当てステップにより、異なる送信アンテナによって送信されるさまざまなビットにわたって、符号化されたデータビットの基本的に均一な分散が可能になる。この基本的に均一な分散によって、連続したビット、たとえば２５、２６、２７、及び２８で参照されるビットは、確実に異なるチャネル上で送信されることになる。したがって、この基本的に均一な分散は、本発明による方法が使用される電気通信システムの受信機端で感知されるデータダイバーシティに好都合である。
【００５２】
これに加えて、シーケンスインターリーブステップＳＲＩＳにより、連続した符号化されていないビットの最適な無相関性が可能になる。これらの連続した符号化されていないビットは、シーケンスインターリーブステップＳＲＩＳが行われない場合において、ビット符号化技法が畳み込み符号を利用したときは、互いにリンクした状態のままであるおそれがある。このビット符号化技法によれば、符号化されていない同じ情報ビットは、Ｌ・ｎ個の連続した、符号化されたビットの生成に関与する。ここで、ｎは、所与のｋ個の連続した符号化されていないビットが上記符号化器に供給された時に、畳み込みチャネル符号化器によって配信される符号化されたビットの個数である。Ｌは、符号制限長である。発明者は、本発明のこのような変形を使用することによって、すべての送信アンテナにおいて基本的に均一な分散を可能にすることができること、及び、各セグメントがＮｉに等しい長さを有する場合に、（Ｌｉ−１）・Ｎｉ＋１個の連続した、符号化されたビットの異なるシンボル期間へのマッピングを可能にすることができることに気付いた。ここで、個数（Ｌｉ−１）・Ｎｉ＋１は、Ｌｉが適切に選ばれるという条件で、Ｌ・ｎ以上となる。
【００５３】
図４は、通信チャネルが、連続したＮｃ個の組の物理特性を特色として備えることが予想されるブロックフェージングチャネルである場合の本発明の別の実施の形態を示している。この場合、上述したようなＮｃ個のフレームを含むスーパーフレームＳＦは、ビット多重分離ステップＤＭＸＳの過程で、Ｎｉ個のシーケンスのＮｃ個のブロックにディスパッチされることを目的とする。各シーケンスは、Ｓｉ個のビットを含み、上述したように処理されることを目的とする。図４で説明する実施の形態では、Ｎｃは３に等しく選ばれ、Ｎｉは４に等しく選ばれ、スーパーフレームＳＦは、それぞれがＳｉ／Ｎｉビットの３つのシーケンスブロック（Ｂｓｑ１、Ｂｓｑ４、Ｂｓｑ７、Ｂｓｑ１０）、（Ｂｓｑ２、Ｂｓｑ５、Ｂｓｑ８、Ｂｓｑ１１）、及び（Ｂｓｑ３、Ｂｓｑ６、Ｂｓｑ９、Ｂｓｑ１２）に直ちにディスパッチされる。次に、各ブロックＢ１、Ｂ２、又はＢ３のシーケンスは、シーケンスインターリーブステップＳＲＩＳ、セグメント並べ替えステップＳＰＳ、及び割り当てステップＡＬＳを実行することによって、より慎重に処理される。同じブロックに属するシーケンスに含まれるビットは、ブロックフェージングチャネルの同じ不変期間中、互いに干渉する可能性があるので、このようなブロックごとの処理が好ましい。このように、スーパーフレームのこのような簡単なディスパッチの後に、より制限的なブロックごとの処理を行うことによって、処理資源の最適な割り当てが可能になる。
【００５４】
スーパーフレームＳＦのディスパッチは、図４に図示した例では、スーパーフレームＳＦのあらゆる２つの連続したビットを２つの異なるシーケンスブロックＢ１、Ｂ２、又はＢ３に単に割り当てることによって実行される。
【００５５】
また、図５に示すように、スーパーフレームＳＦのディスパッチは、この例では、２つの異なる送信アンテナＡ１又はＡ２にスーパーフレームのあらゆる２つの連続したビットを割り当てることによっても実行することができる。
【００５６】
双方の解決策によって、スーパーフレームＳＦに含まれるビットは、すべてのチャネルの実現したものにわたって一様に分散されることが確実に行われる。これによって、受信機側において、可能な最高のダイバーシティを維持することが可能になる。
【００５７】
ここでは、さまざまなシーケンスに含まれるビットは、好ましくは、上記アンテナに割り当てられたさまざまなビットにわたってディスパッチされる前に、まず、さまざまなブロック又はさまざまなアンテナのいずれかにわたってディスパッチされるべきであることに留意すべきである。その理由は、異なるブロック又は異なるアンテナに対応するチャネルは、理論的には、同じアンテナ及び同じブロックにより送信される異なるビットに対応するチャネルよりも互いに異なるからである。このように、連続したビットを異なるブロック又はアンテナにわたってディスパッチすることに高い優先順位を帰することによって、本発明によって得られるダイバーシティを最適化することが可能になる。
【００５８】
図６は、多重分離ステップＤＭＸＳの好ましい実施の形態を示している。多重分離ステップＤＭＸＳの好ましい実施の形態は、Ｎｉを法とする、初期フレームの各ｊ番目の符号化されたビットを、対応するビットシーケンスに単に配置することによってではなく、その代わり、Ｎｉ−１個のそれ以外の符号化されたビットにより分離された２つの符号化されたビットを、異なるビットシーケンスに配置することによって実行される。これは、この例では、ランクｊの符号化されたビットを、Ｎｉを法とするランクｊ＋ＩＰ（（ｊ−１）／Ｎｉ）のビットシーケンスに配置することによって得られる。ここで、ＩＰ（（ｊ−１）／Ｎｉ）は、比（ｊ−１）／Ｎｉの整数部を表す。
【００５９】
ビット多重分離ステップＤＭＸＳのこのような実施の形態によって、符号化されたビットを本来符号化するのに使用される符号の構造を必要としない方式に従い、連続的な符号化されたビットを、多重分離された異なるシーケンスにわたって配置することが可能になる。より詳細には、特定のビットが、符号化エラーによる影響を受ける高い可能性を有し、上記特定のビットが、その符号の構造によって必要とされる発生周期を有する場合、上記周期的なビットは、同じチャネル入力を通じて常に送信されるとは限らず、ビット多重分離ステップの上述した好ましい実施の形態は、その代わり、この周期的なビットの異なる発生が、異なるチャネル入力を通じて送信されることを確保する。
【図面の簡単な説明】
【００６０】
【図１】本発明が使用される、非常に簡略化したＭＩＭＯ電気通信システムを示すブロック図である。
【図２】本発明によるＭＩＭＯ電気通信システムに含まれる送信機に備えられたインターリーブ手段を示すブロック図である。
【図３】このようなインターリーバがどのように動作するかを示す図である。
【図４】本発明に従って処理されるフレームにスーパーフレームをディスパッチするための第１の分割技法を示す図である。
【図５】本発明に従って処理されるフレームにスーパーフレームをディスパッチするための第２の分割技法を示す図である。
【図６】本発明の変形によるビット多重分離ステップを実行するための好ましい技法を示す図である。
【符号の説明】
【００６１】
Ａ１  送信アンテナ、Ｂ１  シーケンスブロック、ＢＵＦ１、ＢＵＦ２  セグメント化手段（バッファ）、ＣＨＤＥＣ  チャネル復号器、ＣＨＥＮＣ  チャネル符号化器、ＣＨＮＬ  通信チャネル、Ｄｅｃｂ  データビット、ＤＥＴ  時空検出器、ＤＩＮＴＬ  デインターリーバ、ＤＭＸ  ビット多重分離手段、Ｅｘｄ  外部情報、ＩＮＴＬ  ビットインターリーブ手段、ＩＮＴＲ  インターリーブ手段、ＭＡＰＭＤ  変調モジュール、ＭＸ  多重化手段、ＲＥＣ  受信機、ＳＰＴＤＥＣ  時空復号器、ＳＰＴＥＮＣ  時空符号化器、ＳＲＧ１  循環シフト可能レジスタ、ＳＲＩ１  シーケンスインターリーブ手段、ＴＲ  送信機。
【図１】
2006174465.tif 000003
【図２】
2006174465.tif 000004
【図３】
2006174465.tif 000005
【図４】
2006174465.tif 000006
【図５】
2006174465.tif 000007
【図６】
2006174465.tif 000008
【外国語明細書】
2006174465.tif 000009
2006174465.tif 000010
2006174465.tif 000011
2006174465.tif 000012
2006174465.tif 000013
2006174465.tif 000014
2006174465.tif 000015
2006174465.tif 000016
2006174465.tif 000017
2006174465.tif 000018
2006174465.tif 000019
2006174465.tif 000020
2006174465.tif 000021
2006174465.tif 000022
2006174465.tif 000023
2006174465.tif 000024
2006174465.tif 000025
2006174465.tif 000026
2006174465.tif 000027
2006174465.tif 000028
2006174465.tif 000029
2006174465.tif 000030
2006174465.tif 000031
2006174465.tif 000032
2006174465.tif 000033
2006174465.tif 000034
2006174465.tif 000035